(57)【要約】【課題】用紙残枚数算出の精度と、厚さ設定の手間を省くという操作性を両立することのできる画像形成装置を提供する。【解決手段】給紙トレイＦＴ１〜ＦＴ９と、画像形成部６００と、を備える画像形成装置１において、給紙トレイＦＴ１〜ＦＴ９に収納された用紙の厚さの設定の有無が選択可能であるとともに、当該設定の有りを選択した場合に用紙の厚さの設定を行うタッチパネル５０２と、タッチパネル５０２により給紙トレイＦＴ１〜ＦＴ９に収納された用紙の厚さが設定された場合、その設定された用紙の厚さを用いて給紙トレイＦＴ１〜ＦＴ９の用紙残枚数を算出し、タッチパネル５０２により給紙トレイＦＴ１〜ＦＴ９に収納された用紙の厚さが設定されない場合、予め決められた用紙の斤量から標準値として設定された用紙の厚さを用いて給紙トレイＦＴ１〜ＦＴ９の用紙残枚数を算出する制御部１０１と、を備える。【選択図】図２
2010122259.tif 000002
【特許請求の範囲】
【請求項１】
給紙トレイと、
予約されたジョブに応じて画像形成処理を実行する画像形成部と、
を備える画像形成装置において、
前記給紙トレイに収納された用紙の厚さの設定の有無が選択可能であるとともに、当該設定の有りを選択した場合に用紙の厚さの設定を行う設定部と、
前記設定部により前記給紙トレイに収納された用紙の厚さが設定された場合、前記設定部により設定された前記給紙トレイの用紙の厚さを用いて、前記給紙トレイの用紙残枚数を算出し、
前記設定部により前記給紙トレイに収納された用紙の厚さが設定されない場合、予め決められた用紙の斤量から標準値として設定された用紙の厚さを用いて前記給紙トレイの用紙残枚数を算出する制御部と、
を備えることを特徴とする画像形成装置。
【請求項２】
第１軸に前記給紙トレイのトレイ情報、前記第１軸と直交する第２軸にジョブの実行予定時間又は用紙の使用予定枚数を示す二次元の表上に、前記第１軸上の位置であって各ジョブの実行予定時間又は用紙の使用予定枚数に相当する長さ分の第２軸上の位置に予約されたジョブの予約情報を表示したジョブスケジューリング画面を表示する表示部を更に備え、
前記制御部は、
算出した用紙残枚数がジョブの使用予定枚数に満たない場合に、前記ジョブスケジューリング画面における当該ジョブの前記予約情報の表示領域を、画像形成可能な枚数に相当する第１領域と、画像形成不可能な枚数に相当する第２領域と、に区別して表示することを特徴とする請求項１に記載の画像形成装置。
【請求項３】
給紙トレイに収納された用紙の厚さの誤差値を記憶する誤差値記憶部を備え、
前記制御部は、
前記誤差値記憶部に記憶された誤差値から用紙残枚数の誤差範囲を算出し、
前記予約情報の表示領域において、前記第１領域と前記第２領域との境界を含む前記誤差範囲に相当する所定領域を誤差範囲領域として、前記第１領域及び前記第２領域と区別して表示させるとともに、
前記設定部により前記給紙トレイに収納された用紙の厚さが設定されない場合には、前記設定部により前記給紙トレイに収納された用紙の厚さが設定された場合に比較して、前記誤差範囲領域を広く表示することを特徴とする請求項２に記載の画像形成装置。
【請求項４】
前記制御部は、
複数のジョブの予約情報を表示する際、前記第２軸の原点を現時点とし、各ジョブの実行予約順に、各ジョブの設定情報に一致する前記トレイ情報と対応する位置に、該当する予約情報を表示することを特徴とする請求項２又は３に記載の画像形成装置。
【請求項５】
前記制御部は、
所定の更新タイミングに、前記第２軸の原点を現時点として、前記ジョブスケジューリング画面における前記予約情報の表示位置を更新することを特徴とする請求項２〜４のいずれかに記載の画像形成装置。
【請求項６】
前記所定の更新タイミングは、
前記トレイ情報の設定変更をしたとき、所定枚の用紙に対する画像形成処理が終了したとき、前回の更新タイミングから所定時間が経過したときの何れかであることを特徴とする請求項５に記載の画像形成装置。
【発明の詳細な説明】
【技術分野】
【０００１】
本発明は、画像形成装置に関する。
【背景技術】
【０００２】
プリンタ、複写機、スキャナ又はこれらの複合機等の画像形成装置では、ジョブと呼ばれる画像処理要求に応じて画像形成処理を実行する。このような画像形成装置として、複数のジョブを予約可能であり、予約された複数のジョブを順に連続して実行する画像形成装置が広く利用されている。
従来、このような画像形成装置において、複数のジョブの実行に際して各給紙トレイに用紙補充が必要か否かを用紙切れの前にユーザに報知するため、給紙トレイに用紙がどのくらいあるかを算出する技術が提案されている（例えば、特許文献１、２参照。）。
【特許文献１】特開平１０−１０９７８３号公報
【特許文献２】特開２０００−３１３５４５号公報
【発明の開示】
【発明が解決しようとする課題】
【０００３】
しかしながら、特許文献１、２では、凡そで推定した用紙残量を用いて用紙がどのくらいあるかを把握しているため、用紙の種類によって厚さが異なった場合などには正確な用紙残枚数を求めることができないという問題があった。
一方、全ての用紙に対して厚さの設定を行うこととすると、標準紙などの厚さ設定なしでもほぼ正確な用紙残枚数を算出できる用紙に対しても設定を行うこととなり、手間がかかるという問題があった。
【０００４】
本発明の課題は、用紙残枚数の算出の精度と、厚さ設定の手間を省くという操作性を両立することができる画像形成装置を提供することである。
【課題を解決するための手段】
【０００５】
請求項１に記載の発明は、
給紙トレイと、
予約されたジョブに応じて画像形成処理を実行する画像形成部と、
を備える画像形成装置において、
前記給紙トレイに収納された用紙の厚さの設定の有無が選択可能であるとともに、当該設定の有りを選択した場合に用紙の厚さの設定を行う設定部と、
前記設定部により前記給紙トレイに収納された用紙の厚さが設定された場合、前記設定部により設定された前記給紙トレイの用紙の厚さを用いて、前記給紙トレイの用紙残枚数を算出し、
前記設定部により前記給紙トレイに収納された用紙の厚さが設定されない場合、予め決められた用紙の斤量から標準値として設定された用紙の厚さを用いて前記給紙トレイの用紙残枚数を算出する制御部と、
を備えることを特徴とする。
【０００６】
請求項２に記載の発明は、請求項１に記載の画像形成装置において、
第１軸に前記給紙トレイのトレイ情報、前記第１軸と直交する第２軸にジョブの実行予定時間又は用紙の使用予定枚数を示す二次元の表上に、前記第１軸上の位置であって各ジョブの実行予定時間又は用紙の使用予定枚数に相当する長さ分の第２軸上の位置に予約されたジョブの予約情報を表示したジョブスケジューリング画面を表示する表示部を更に備え、
前記制御部は、
算出した用紙残枚数がジョブの使用予定枚数に満たない場合に、前記ジョブスケジューリング画面における当該ジョブの前記予約情報の表示領域を、画像形成可能な枚数に相当する第１領域と、画像形成不可能な枚数に相当する第２領域と、に区別して表示することを特徴とする。
【０００７】
請求項３に記載の発明は、請求項２に記載の画像形成装置において、
給紙トレイに収納された用紙の厚さの誤差値を記憶する誤差値記憶部を備え、
前記制御部は、
前記誤差値記憶部に記憶された誤差値から用紙残枚数の誤差範囲を算出し、
前記予約情報の表示領域において、前記第１領域と前記第２領域との境界を含む前記誤差範囲に相当する所定領域を誤差範囲領域として、前記第１領域及び前記第２領域と区別して表示させるとともに、
前記設定部により前記給紙トレイに収納された用紙の厚さが設定されない場合には、前記設定部により前記給紙トレイに収納された用紙の厚さが設定された場合に比較して、前記誤差範囲領域を広く表示することを特徴とする。
【０００８】
請求項４に記載の発明は、請求項２又は３に記載の画像形成装置において、
前記制御部は、
複数のジョブの予約情報を表示する際、前記第２軸の原点を現時点とし、各ジョブの実行予約順に、各ジョブの設定情報に一致する前記トレイ情報と対応する位置に、該当する予約情報を表示することを特徴とする。
【０００９】
請求項５に記載の発明は、請求項２〜４のいずれかに記載の画像形成装置において、
前記制御部は、
所定の更新タイミングに、前記第２軸の原点を現時点として、前記ジョブスケジューリング画面における前記予約情報の表示位置を更新することを特徴とする。
【００１０】
請求項６に記載の発明は、請求項５に記載の画像形成装置において、
前記所定の更新タイミングは、
前記トレイ情報の設定変更をしたとき、所定枚の用紙に対する画像形成処理が終了したとき、前回の更新タイミングから所定時間が経過したときの何れかであることを特徴とする。
【発明の効果】
【００１１】
請求項１に記載の発明によれば、給紙トレイに収納された用紙の厚さの設定の有無を選択でき、厚さの設定をしなくとも用紙残枚数を算出できるため、用紙残枚数算出の精度と、厚さ設定の手間を省くという操作性を両立することができる。
【００１２】
請求項２に記載の発明によれば、ジョブスケジューリング画面により、予約されたジョブの使用する用紙の不足量を把握できる。
【００１３】
請求項３に記載の発明によれば、ジョブスケジューリング画面において、誤差範囲を広げた表示がなされることとなり、用紙切れの可能性があることをより確実に報知できる。
【００１４】
請求項４に記載の発明によれば、ジョブスケジューリング画面において、複数のジョブの実行順序と、各ジョブで使用する用紙と、その用紙の収納された給紙トレイとを一目で把握することができる。
【００１５】
請求項５に記載の発明によれば、所定の更新タイミング毎に、複数のジョブの実行順序と、各ジョブで使用する用紙と、その用紙の収納された給紙トレイとの関係を把握できる。
【００１６】
請求項６に記載の発明によれば、トレイ情報の設定変更を行う度、所定枚の用紙に対する画像形成処理を行う度、又は所定時間が経過する度に、複数のジョブの実行順序と、各ジョブで使用する用紙と、その用紙の収納された給紙トレイとの関係を把握できる。
【発明を実施するための最良の形態】
【００１７】
以下、本発明に係る画像形成装置の一実施形態について、図面を参照して説明する。ただし、発明の範囲は図示例に限定されない。
【００１８】
図１は、本実施形態の画像形成装置１の概略構成を示す正面図である。
図１に示すように、本実施形態に係る画像形成装置１は、本体部１０と、これにオプション接続された大容量トレイユニット２０及び後処理部３０と、を備えて構成される。
【００１９】
本体部１０は、スキャナ部２００、自動原稿給紙部（ＡＤＦ：Auto Document Feeder）３００、操作表示部５００、画像形成部６００、を備える。すなわち、本実施形態に係る画像形成装置１は、スキャナ機能、コピー機能、プリンタ機能を備えた、いわゆるディジタル複合機である。
【００２０】
また、本体部１０は、印字用紙用のトレイである３つの給紙トレイＦＴ１〜ＦＴ３を備えており、印字用の用紙を収納している。各給紙トレイＦＴ１〜ＦＴ３の近傍には、後述する検出センサＤ・・・が設けられている。
【００２１】
大容量トレイユニット２０は、印字用紙用のトレイである給紙トレイＦＴ４〜ＦＴ９を備えており、印字用の用紙を収納している。各給紙トレイＦＴ４〜ＦＴ９の近傍には、後述する検出センサＤ・・・が設けられている。
【００２２】
後処理部３０は、本体部１０から搬送された用紙に各種後処理を行う、いわゆるフィニッシャーである。例えば、本体部１０から搬送された用紙のソート処理を行うソートユニット、パンチ処理を行うパンチユニット、折り処理を行う折ユニット、断裁処理を行う断裁ユニット等を備える。後処理部３０の左側には、搬送された用紙が排紙される排紙トレイＥＴ１、ＥＴ２が設けられており、搬送された用紙が排紙される。
【００２３】
また、後処理部３０の上部には、挿入用紙用のトレイである２つのポストインサータ上段ＰＩ１、下段ＰＩ２が設けられており、ユーザのニーズに合わせて様々な種類の用紙を積載して給紙可能となっている。
例えば、何れかのポストインサータＰＩ１、ＰＩ２に、用紙片の一部に突出したタブ部を有するタブ紙や異なる配色を施されたカラーシート、すでに画像形成された用紙（以下、タブ紙等と称する）等を載置し、ジョブの設定に従って給紙することにより、本体部１０から搬送された複数の印字用の用紙間に、これらの用紙を挿入することができる。
ここで、ジョブとは、画像形成に関する一連の動作を指し、例えば、複数枚の原稿をコピーする場合には、複数枚の原稿のコピーに関する一連の動作が１ジョブである。また、複数部数のコピーを行う場合は、複数部数分のコピーに関する一連の動作が１ジョブである。なお、本実施形態の画像形成装置１は、複数のジョブを予約可能となっており、予約されたジョブに応じた画像形成処理がジョブの実行予約順に実行される。
【００２４】
画像形成処理において、例えば、ＡＤＦ部３００の原稿トレイに載置された原稿は、スキャナ部２００の読取箇所であるコンタクトガラスに搬送され、スキャナ部２００の光学系により原稿の画像が読み取られる。ここで、画像とは、図形や写真等のイメージデータに限らず、文字や記号等のテキストデータ等も含む。
スキャナ部２００により読み取られた画像（アナログ画像信号）は、後述する状態管理部１００に出力され、状態管理部１００においてＡ／Ｄ変換され、各種画像処理が施された後、画像形成部６００に出力される。そして、画像形成部６００において、本体部１０又は大容量トレイユニット２０に備わる何れかの給紙トレイＦＴ１〜ＦＴ９から給紙された用紙上に、ディジタル画像データに基づく画像が形成される。
画像形成された用紙は、画像形成部６００内の搬送部６１０により後処理部３０に搬送され、後処理部３０の後処理機構により所定の後処理を施された後、排紙トレイＥＴ１、ＥＴ２の何れかに排紙される。
【００２５】
なお、給紙トレイＦＴ１〜ＦＴ９、ポストインサータＰＩ１、ＰＩ２、排紙トレイＥＴ１、ＥＴ２の形態は、図１に例示したものに限定されず、例えば、その数は図示したものより多くても少なくてもよい。
【００２６】
図２は、画像形成装置１の機能的構成を示すブロック図である。
本体部１０は、状態管理部１００と、スキャナ部２００と、ＡＤＦ部３００と、プリンタコントローラ４００と、給紙トレイＦＴ１〜ＦＴ３と、検出センサＤ・・・と、操作表示部５００と、画像形成部６００と、を備えて構成される。
【００２７】
状態管理部１００は、制御部１０１、プログラムメモリ（ＲＯＭ：Read Only Memory）１０２、システムメモリ（ＲＡＭ：Random Access Memory）１０３、不揮発メモリ１０４、読み取り処理部１０５、書き込み処理部１０６、ＤＲＡＭ（Dynamic Random Access Memory）制御ＩＣ１０７、圧縮・伸長ＩＣ１０８及び画像メモリ１０９を備えて構成される。
【００２８】
制御部１０１は、例えば、ＣＰＵ（Central Processing Unit）等により構成され、ＲＯＭに記憶されているシステムプログラムや画像形成処理プログラム、後処理プログラム等の各種処理プログラムを読み出してＲＡＭに展開し、展開したプログラムに従って画像形成装置１の各部の動作を集中制御する。
【００２９】
ＲＯＭ１０２は、半導体等の不揮発メモリ等により構成され、画像形成装置１に対応するシステムプログラム及び該システムプログラム上で実行可能な画像形成処理プログラム、後処理プログラム等の各種処理プログラム等を記憶する。これらのプログラムは、コンピュータが読み取り可能なプログラムコードの形態で格納され、制御部１０１は、当該プログラムコードに従った動作を逐次実行する。
【００３０】
ＲＡＭ１０３は、制御部１０１により実行される各種プログラム及びこれらプログラムに係るデータを一時的に記憶するワークエリアを形成し、実行中のジョブの設定情報等を記憶する。
【００３１】
不揮発メモリ１０４は、画像形成装置１に係る各種設定データ等を記憶する。
具体的には、不揮発メモリ１０４は、予約された各ジョブの設定情報、用紙の厚さの標準値等を記憶する。
【００３２】
ジョブの設定情報とは、トレイ設定情報、用紙設定情報、及び用紙の使用予定枚数等から構成される情報である。トレイ設定情報は、ジョブが使用する給紙トレイを設定する情報であり、具体的には、給紙トレイＦＴ１〜ＦＴ９、ポストインサータＰＩ１、ＰＩ２のうちの何れか一又は複数のトレイを、ジョブが使用する給紙トレイとして設定する。また、用紙設定情報は、ジョブが使用する用紙を設定する情報であり、具体的には、ジョブが使用する用紙の紙種、用紙サイズ、斤量等である。また、用紙の使用予定枚数とは、１ジョブが使用する用紙の枚数である。
【００３３】
用紙の厚さの標準値とは、斤量に応じた標準的な用紙の厚さを、標準値として設定したものである。
図３に、斤量と用紙の厚さの標準値との関係を示した標準値テーブル１０４ａの一例を示す。
図３に示すように、斤量は、例えば、６４−７４ｇ／ｍ２、７５−８０ｇ／ｍ２、８１−１０５ｇ／ｍ２、１０６−１３５ｇ／ｍ２、１３６−１６２ｇ／ｍ２、１６３−２２０ｇ／ｍ２、２２１−２５６ｇ／ｍ２、２５７−３００ｇ／ｍ２等に一定範囲で区分されており、各斤量に対応した用紙の厚さの標準値が、０．０９２、０．１００、０．１３１、０．１６９、０．２０３、０．２７５、０．３２０、０．３７５と対応付けられている。
従って、斤量が、例えば、６４−７４ｇ／ｍ２と設定されている場合、用紙の厚さの標準値は０．０９２となる。
【００３４】
このようなジョブの設定情報は、ユーザによるタッチパネル５０２の操作により設定され、その他の情報（モード、ユーザ名、ファイル名、後処理モード、排紙トレイＥＴ１、ＥＴ２等の情報）とともに、操作表示制御部５０３を介して制御部１０１に出力され、不揮発メモリ１０４に実行予約順とともに格納される。これにより、当該ジョブの予約が完了することとなる。
【００３５】
また、不揮発メモリ１０４は、誤差値記憶部として、給紙トレイ給紙トレイＦＴ１〜ＦＴ９に収納された用紙の厚さの誤差値を記憶する。
用紙の厚さの誤差値は、給紙トレイ給紙トレイＦＴ１〜ＦＴ９に収納された用紙の種類に応じて、例えば５［ｍｍ］等の固定値として設定されており、後述する用紙の残枚数を推定する際に制御部１０１によって参照される。
なお、用紙の厚さの誤差値は、図示しない設定画面上におけるタッチパネル５０２の操作により、ユーザが予め設定することができる。
【００３６】
また、不揮発メモリ１０４は、給紙トレイＦＴ１〜ＦＴ９毎のトレイ情報、及びユーザにより設定された更新タイミング等を記憶する。
【００３７】
トレイ情報とは、例えば、各給紙トレイＦＴ１〜ＦＴ９、ポストインサータＰＩ１、ＰＩ２に収納される用紙の紙種・用紙サイズ・坪量・用紙の残量等から構成される。
このとき、検出センサＤ・・・は、各給紙トレイＦＴ１〜ＦＴ９内に収納された用紙の用紙サイズ及び重量を検出し、最大積載時の値と比較して、これにより用紙の残量［％］を検出する。
不揮発メモリ１０４に、給紙トレイ毎のトレイ情報が記憶されることにより、各給紙トレイに収納される用紙が設定されることとなる。
【００３８】
更新タイミングは、トレイ情報の設定変更をしたとき、所定枚の用紙に対する画像形成処理が終了したとき、又は、前回の更新タイミングから所定時間が経過したとき、として設定される。こうした更新タイミングは、図示しない設定画面上におけるタッチパネル５０２の操作により、ユーザが予め設定することができる。
【００３９】
読み取り処理部１０５は、スキャナ部２００から入力されたアナログ画像信号に、アナログ信号処理、Ａ／Ｄ変換処理、シェーディング処理等の各種処理を施し、ディジタル画像データを生成し、ＤＲＡＭ制御ＩＣ１０７へ出力する。
書き込み処理部１０６は、圧縮・伸長ＩＣ１０８から入力される画像データに基づくＰＷＭ(Pulse Width Modulation)信号を生成し、画像形成部６００へ出力する。
【００４０】
ＤＲＡＭ制御ＩＣ１０７は、制御部１０１からの制御に基づいて、圧縮・伸長ＩＣ１０８の圧縮・伸長処理を制御するとともに、画像メモリ１０９における画像データの入出力制御を行う。
具体的には、読み取り処理部１０５から入力されたディジタル画像データ、又はプリンタコントローラ４００から入力された画像データを圧縮・伸長ＩＣ１０８により圧縮させ、圧縮された画像データを画像メモリ１０９の圧縮メモリ１０９ａに書き込んで一時的に記憶させる。また、画像メモリ１０９に記憶されている画像データを圧縮・伸長ＩＣ１０８により伸長させ、書き込み処理部１０６に出力する。この際、制御部１０１から合成処理を施す旨の制御信号が出力された場合には、ＤＲＡＭ制御ＩＣ１０７は、画像データを圧縮・伸長ＩＣ１０８により伸長させてから、不揮発メモリ１０４内の固有の画像データを重ね書きして、書き込み処理部１０６に出力する。
また、ＤＲＡＭ制御ＩＣ１０７は、プリンタコントローラ４００から入力された制御データを制御部１０１に出力する。
【００４１】
圧縮・伸長ＩＣ１０８は、ＤＲＡＭ制御ＩＣ１０７の制御により画像データの圧縮処理、伸長処理を行う。
画像メモリ１０９は、例えば、ＤＲＡＭで構成される圧縮メモリ１０９ａ、ページメモリ１０９ｂを有する。圧縮メモリ１０９ａは、例えば、ＤＲＡＭ制御ＩＣ１０７から入力される制御信号に従って、圧縮・伸長ＩＣ１０８で圧縮されたジョブファイルを一時的に記憶する。ページメモリ１０９ｂは、例えば、印刷出力前にプリント出力対象の非圧縮のジョブファイルを一時的に記憶する。
【００４２】
スキャナ部２００は、ＣＣＤ２０１等のイメージセンサと、スキャナ制御部２０１と、を備えて構成される。スキャナ制御部２０１は、制御部１０１からの制御信号に基づいて、スキャナ部２００の各部を駆動制御する。具体的には、コンタクトガラスに載置された原稿面の露光走査を実行させ、反射光をＣＣＤ２０１において結像させて画像を読み取る。そして、この結像された光信号を光電変換してアナログ画像信号を生成させ、読み取り処理部１０５へ出力する。
【００４３】
ＡＤＦ部３００は、制御部１０１からの制御信号に基づいて、ＡＤＦ部３００の制御を行うＡＤＦ制御部３０１を備え、原稿トレイに載置された原稿をスキャナ部２００のコンタクトガラス上に１枚ずつ自動給送する。
【００４４】
プリンタコントローラ４００は、コントローラ制御部４０１、ＤＲＡＭ制御ＩＣ４０２、画像メモリ４０３、ＬＡＮＩＦ４０４等を備えて構成され、画像形成装置１をネットワークプリンタとして使用する場合に、ネットワークに接続される外部装置から画像形成装置１に入力されるジョブの管理及び制御を行うものである。
具体的には、プリンタコントローラ４００は、ジョブの設定情報を含むデータを外部装置から受信し、当該データを本体部１０へ送信する。プリンタコントローラ４００から本体部１０に送信されたジョブの設定情報は、その他、モード、ユーザ名、ファイル名、後処理モード、排紙トレイＥＴ１、ＥＴ２等の情報とともに、制御部１０１に出力され、不揮発メモリ１０４に実行予約順とともに格納されることとなる。
【００４５】
コントローラ制御部４０１は、プリンタコントローラ４００の各部の動作を統括的に制御する。また、コントローラ制御部４０１は、ＬＡＮＩＦ４０４を介して外部装置から入力される印刷データを所定のページ記述言語によって画像形成装置１で印刷可能なデータ形式の画像データに変換し、外部装置から入力されるジョブの情報とともにＤＲＡＭ制御ＩＣ４０２に出力する。
【００４６】
ＤＲＡＭ制御ＩＣ４０２は、ＬＡＮＩＦ４０４により受信されたジョブの情報及び印刷データをコントローラ制御部４０１に出力するとともに、コントローラ制御部４０１からの指示に従って、コントローラ制御部４０１から入力されたジョブの設定情報及び画像データを画像メモリ４０３へ一時的に格納する制御を行う。また、ＤＲＡＭ制御ＩＣ４０２は、制御部１０１のＤＲＡＭ制御ＩＣ１０７とＰＣＩ（Peripheral Components Interconnect）バスで接続されており、コントローラ制御部４０１からの指示に従って、画像メモリ４０３からジョブの設定情報や画像データを読み出してＤＲＡＭ制御ＩＣ４０２に出力する。
【００４７】
画像メモリ４０３は、例えば、ＤＲＡＭから構成され、入力されたデータを一時的に格納する。
【００４８】
ＬＡＮＩＦ４０４は、例えば、ＮＩＣ（Network Interface Card）等により構成され、通信ネットワークＮに接続された外部装置とジョブの情報、印刷データ、ＦＡＸの画像データを始めとするデータ送受信を行う。外部装置から受信されたジョブの情報、印刷データ、画像データは、ＤＲＡＭ制御ＩＣ４０２に出力される。
【００４９】
操作表示部５００は、表示部５０１、表示部５０１に一体的に備わるタッチパネル５０２、操作表示制御部５０３、図示しないその他の操作キー群を備えて構成される。
【００５０】
表示部５０１は、例えば、ＬＣＤ（Liquid Crystal Display）により構成され、操作表示制御部５０３からの表示制御信号に従って、画面上に各種設定画面や画像の状態表示、各機能の動作状況等の表示を行う。
また、表示部５０１の画面上には、透明電極を格子状に配置した感圧式（抵抗膜圧式）のタッチパネル５０２が構成されており、手指やタッチペン等で操作された力点のＸＹ座標を電圧値で検出し、検出された位置信号を操作信号として操作表示制御部５０３に出力する。
具体的には、タッチパネル５０２は、設定部として、ユーザが、給紙トレイＦＴ１〜ＦＴ９に収納された用紙の厚さの設定をする場合、又は用紙の厚さの設定をしないに選択を行う場合に操作される。また、タッチパネル５０２は、用紙の厚さの設定をする際に用紙の厚さの設定を行う場合に操作される。
【００５１】
操作表示制御部５０３は、制御部１０１からの制御信号に基づいて、表示部５０１における表示制御を行う。具体的には、操作表示制御部５０３は、タッチパネル５０２において各種の操作が行なわれるとこの操作に基づく操作信号を制御部１０１に出力し、操作表示制御部５０３からの操作信号に応じて制御部１０１から出力された制御信号に応じて各種画面を表示部５０１に表示する。
【００５２】
ここで、図４〜７に、操作表示部５００の表示部５０１に表示される画面の一例を示す。
【００５３】
図４〜６は、設定変更画面Ａの一例である。
図４〜６に示すように、設定変更画面Ａには、変更項目選択領域Ａ１、詳細設定領域Ａ２、キャンセルボタンＡ３、ＯＫボタンＡ４等が表示される。
【００５４】
変更項目選択領域Ａ１は、設定を変更する項目の選択を行うための操作ボタンを表示する領域である。変更項目選択領域Ａ１には、用紙種類ボタンＡ１１、用紙名称ボタンＡ１２、斤量ボタンＡ１３、色紙ボタンＡ１４、パンチ穴ボタンＡ１５、表裏調整ボタンＡ１６、速度設定ボタンＡ１７、厚さボタンＡ１８、プロセス調整ボタンＡ１９等を備えられており、各ボタンＡ１１〜Ａ１９に対応した位置に各ボタンにて設定された内容が表示されている。
詳細設定領域Ａ２は、変更項目選択領域Ａ１のボタンＡ１１〜Ａ１９を選択した際に、その選択した項目の詳細な設定内容を表示する領域である。ユーザにより変更項目選択領域Ａ１のボタンＡ１１〜Ａ１９の何れかが選択されると、選択された項目に応じた詳細な設定画面が詳細設定領域Ａ２に表示されることとなる。
キャンセルボタンＡ３は、変更項目選択領域Ａ１、及び詳細設定領域Ａ２のユーザによる操作によって指示された内容をキャンセルするボタンである。
ＯＫボタンＡ４は、変更項目選択領域Ａ１、及び詳細設定領域Ａ２のユーザによる操作によって指示された内容を確定するボタンである。
ユーザは、この設定変更画面Ａを用いて、用紙種類、用紙名称、坪量、色紙、パンチ穴、表裏調整、速度設定、厚さ、プロセス調整などを個別に設定することが可能である。
【００５５】
具体的には、図４、５に示すように、例えば、変更項目選択領域Ａ１の厚さボタンＡ１８を選択すると、詳細設定領域Ａ２には、「（厚さを）指定しない」ボタンＡ２１、「（厚さを）指定する」ボタンＡ２２、等が表示される。
【００５６】
図４は、詳細設定領域Ａ２に表示される「（厚さを）指定する」ボタンＡ２２を選択した際に表示される画面である。「指定する」ボタンＡ２２を選択すると、数字キーＡ２３が表示される。
ユーザは、変更項目選択領域Ａ１の厚さボタンＡ１８を選択し、詳細設定領域Ａ２の「指定する」ボタンＡ２２を選択し、数字キーＡ２３を用いて所定の値を入力した後、ＯＫボタンＡ４を操作することで用紙の厚さを所定の値に指定することができる。図４は、用紙の厚さが０．０８０ｍｍに指定された場合を示している。
【００５７】
図５は、詳細設定領域Ａ２に表示される「（厚さを）指定しない」ボタンＡ２１を選択した際に表示される画面である。
ユーザは、変更項目選択領域Ａ１の厚さボタンＡ１８を選択し、詳細設定領域Ａ２の「指定しない」ボタンＡ２１を選択した後、ＯＫボタンＡ４を操作することで用紙の厚さを指定しない設定とすることができる。
【００５８】
また、図６に示すように、例えば、変更項目選択領域Ａ１の斤量ボタンＡ１３を選択すると、詳細設定領域Ａ２には、６４−７４ｇ／ｍ２、７５−８０ｇ／ｍ２、８１−１０５ｇ／ｍ２、１０６−１３５ｇ／ｍ２、１３６−１６２ｇ／ｍ２、１６３−２２０ｇ／ｍ２、２２１−２５６ｇ／ｍ２、２５７−３００ｇ／ｍ２等の斤量選択ボタンＡ２４が表示される。図６では、斤量選択ボタンＡ２４により「６４−７４ｇ／ｍ２」を選択された場合を示している。
【００５９】
図７は、ジョブスケジューリング画面Ｂの一例である。
ジョブスケジューリング画面Ｂは、ユーザの操作に応じた制御部１０１の指示により表示部５０１に表示される画面であり、ジョブの実行スケジュールを表示するものである。
ジョブスケジューリング画面Ｂには、互いに直交する２つの軸を有する二次元の表に、実行中のジョブを含む予約された各ジョブの予約情報Ｒ１〜Ｒ７が表示されている。
【００６０】
縦軸である第１軸は、給紙トレイ（給紙トレイＴ１〜Ｔ９、ポストインサータＰＩ１、ＰＩ２）毎のトレイ情報を示しており、横軸である第２軸は、用紙の使用予定枚数を示している。
第１軸には、ジョブの設定情報に一致するトレイ情報が無いジョブの予約情報Ｒｎを表示させるための表示欄として「該当用紙なし」が備えられる。例えば、ジョブの設定情報として用紙のみが設定され、設定された用紙自体が給紙トレイの何れにも収納されていない場合のジョブの予約情報Ｒｎが表示される。
【００６１】
具体的には、第１軸は、給紙トレイＦＴ１〜ＦＴ９、ポストインサータＰＩ１、ＰＩ２のそれぞれに対応する１１つの行と、「該当用紙なし」に対応する１つの行とに分割されている。各行には、それぞれ、トレイ情報として、給紙トレイを識別するための給紙トレイ番号情報、用紙のサイズ情報、用紙の種類情報、用紙の斤量、用紙の残量情報が表示される。例えば、第１軸の最上段の行には、給紙トレイ番号情報「１」、用紙のサイズ情報「Ａ４」、用紙の種類情報「普通紙」、用紙の斤量「62-71ｇ/ｍ２」、現時点の用紙残量情報（横線の数で概略表示される。）が表示される。
【００６２】
また、第２軸には、用紙の使用予定枚数を示す目盛りが表示されている。第２軸の原点はゼロ枚を示しており、１目盛りが１００枚を示している。また、第２軸には、各ジョブの区切りを示す区切り線Ｓａ〜Ｓｆが第１軸と平行に表示され、各ジョブの予約情報Ｒ１〜Ｒ７を個別に区別可能としている。
【００６３】
予約情報Ｒ１〜Ｒ７は、使用する給紙トレイ及び用紙の使用予定枚数を実行順に示す情報であり、使用する給紙トレイに対応する第１軸上の位置、且つ、用紙の使用予定枚数に相当する長さの第２軸上の位置から成る領域に表示されている。例えば、実行予約順１番のジョブの予約情報Ｒ１は、使用する給紙トレイＦＴ１に対応する第１行に表示され、この予約情報Ｒ１の第２軸方向の長さは、用紙の使用予定枚数「８００枚」に相当する８目盛り分の長さとされる。
【００６４】
また、予約情報Ｒ１〜Ｒ７は、ジョブの実行に使用される給紙トレイに収納された用紙の残枚数を示す情報を表すバーである。用紙の残枚数を示す情報とは、用紙の残枚数のレベルを示す表示形態（例えば、表示模様や色彩等）のことをいう。
具体的には、予約情報Ｒ１〜Ｒ７の表示領域は、画像形成可能な枚数に相当する第１領域、画像形成不可能な枚数に相当する第２領域、及び第１領域と第２領域との境界を含む誤差範囲に相当する所定領域を示した誤差範囲領域に区別される。そして、予約情報Ｒ１〜Ｒ７は、用紙残枚数のレベル（第１領域、第２領域、誤差範囲領域）に応じて表示形態が変化する。
【００６５】
ここで、図８（Ａ）〜（Ｃ）を参照して、予約情報Ｒｎの表示形態の一例を説明する。
予約情報Ｒｎの表示形態としては、第１領域を示す模様、第２領域を示す模様、及び誤差範囲領域を示す模様が表示される。すなわち、第１領域を示す模様は、用紙残枚数が十分であることを示し、第２領域を示す模様は、用紙残枚数がないことを示す。また、誤差範囲領域を示す模様は、用紙残枚数が不足するか否か微妙であることを示す。
【００６６】
図８（Ａ）では、予約情報Ｒｎは、同一の形態（横線）で表示される。この表示形態は、第１領域を示す模様であり、用紙残枚数が十分多いことを示している。すなわち、ユーザは、使用予定枚数が３００枚であれば、用紙が足りることを認識できる。
また、図８（Ｂ）では、予約情報Ｒｎは、形態が２種類（横線・斜線）で表示されている。この表示形態は、左の模様は第１領域を示す模様であり、右の模様は誤差範囲領域を示す模様であり、ジョブの実行に従って用紙が不足する可能性があることを示している。すなわち、ユーザは、使用予定枚数が５００〜５５０枚の場合、用紙が不足する可能性があることを認識できる。
また、図８（Ｃ）では、予約情報Ｒｎは、形態が３種類（横線・斜線・縦線）で表示されている。この表示形態は、左の模様は第１領域を示す模様であり、真ん中の模様は誤差範囲領域を示す模様であり、右の模様は第２領域を示す模様である。この表示形態は、ジョブの実行に従って、用紙が徐々に減少し、最終的には不足することを示している。すなわち、ユーザは、使用予定枚数が５００〜６００枚の場合、用紙が不足する可能性があり、更に６００〜１０００枚の場合、用紙が不足することを認識できる。
【００６７】
なお、図７のジョブスケジューリング画面Ｂでは、実行中のジョブについては、ジョブスケジューリング画面Ｂの表示／更新タイミングにおける用紙の残枚数が、用紙の使用予定枚数とされている。
また、ジョブスケジューリング画面Ｂの第２軸は、用紙の使用予定枚数の代わりにジョブの実行予定時間としても良い。この場合には、例えば、用紙の使用予定枚数に、１枚の用紙の画像形成にかかる標準時間をかけることにより、用紙の使用予定枚数をジョブの実行予定時間に換算する。第２軸がジョブの実行予定時間である場合には、ユーザは、用紙切れが発生する凡その時間を把握することができる。
【００６８】
図２に戻って、画像形成部６００は、搬送部６１０、ＬＤ(Laser Diode)部６２０、プリンタ制御部６３０を備えて構成され、書き込み処理部１０６から入力された画像データに基づいて用紙に画像を形成する。
【００６９】
搬送部６１０は、ＬＤ部６２０内の搬送経路に従って用紙を搬送するための給紙ローラ６１１、レジストローラ６１２、排紙ローラ６１３をはじめとする各種ローラ、搬送路切換板６１４及び反転部６１５等を備える。搬送部６１０は、プリンタ制御部６３０からの制御に基づいて、ジョブの設定情報に応じた給紙トレイから、用紙を給紙して、給紙された用紙を搬送経路に従って搬送する。
また、ＬＤ部６２０の搬送経路上には、図示しない複数のセンサが設けられている。これらのセンサは、用紙が通過する際に検出信号を発生し、これをプリンタ制御部６３０に出力する。
【００７０】
ＬＤ部６２０は、ＬＤ６２１、感光体ドラム６２２、帯電部６２３、現像部６２４、転写部６２５、定着部６２６等を備える。
ＬＤ部６２０は、プリンタ制御部６３０からの指示に基づいて、ＬＤ部６２０の感光体ドラム６２２表面を帯電部６２３により帯電させ、書き込み処理部１０６から入力されたＰＷＭ信号に基づいてＬＤ６２１により感光体ドラム６２２表面にレーザ光を照射することにより静電潜像を形成する。そして、現像部６２４において感光体ドラム６２２表面の静電潜像を含む領域にトナーを付着させ、転写部６２５により用紙にトナーを転写して画像を形成する。そして、転写された画像を定着部６２６で定着させた後、画像形成済みの用紙を排紙ローラ６１３により後処理部３０へ搬送する。
【００７１】
プリンタ制御部６３０は、制御部１０１からの制御信号を受信して、ＬＤ部６２０の各部の動作を制御する。また、プリンタ制御部６３０は、搬送経路上に設けられたセンサからの検出信号に基づいて、給紙した用紙の枚数をカウントし、制御部１０１に出力する。
また、プリンタ制御部６３０は、各ジョブの実行中に、給紙ローラ６１１付近に設けられたセンサ（図示省略）から出力されるセンサ信号をカウントすることにより、給紙した用紙の枚数をカウントし、制御部１０１に出力する。
【００７２】
上述した構成のうち、制御部１０１は、操作表示制御部５０３、プリンタ制御部６３０等と協働して、各種処理を実行するようになっている。
ここで、上記のように構成された画像形成装置１の処理動作として、用紙残枚数算出処理、及びジョブスケジューリング画面表示・更新処理について順に説明する。
【００７３】
［用紙残枚数算出処理］
用紙残枚数算出処理は、ジョブスケジューリング画面Ｂ（図７参照。）を表示する際に、各予約ジョブの用紙残枚数を認識可能とするために、用紙残枚数を算出する処理である。
用紙残枚数を算出する方法としては、ユーザにより設定された用紙の厚さを用いる場合と、斤量に応じた標準値を用紙の厚さとして用いる場合と、がある。
【００７４】
ユーザにより設定された用紙の厚さを用いる場合とは、設定変更画面Ａ（図４参照。）により厚さを指定した際に実行される処理である。
制御部１０１は、給紙トレイに収納された用紙の厚さが設定された場合、設定された給紙トレイの用紙の厚さ、検出センサＤにより計測された用紙の残量、及び最大積載時の用紙の総厚さに基づいて、給紙トレイの用紙残枚数を算出する。
【００７５】
具体的には、制御部１０１は、以下の式（１）で用紙残枚数を演算する。
用紙残枚数［枚］＝（最大積載時の用紙束厚さ[ｍｍ]／用紙の厚さ[ｍｍ]）×用紙残量[％]・・・（１）
【００７６】
また、制御部１０１は、以下の式（２）で誤差枚数を演算する。
誤差枚数［枚］＝誤差[ｍｍ]／用紙の厚さ[ｍｍ] ・・・（２）
【００７７】
そして、制御部１０１は、以下の式（３）で、用紙残枚数の誤差範囲を演算する。
（用紙残枚数−誤差枚数）〜（用紙残枚数＋誤差枚数）・・・（３）
この用紙残枚数の誤差範囲とは、上述したように、ジョブに使用する用紙が不足するか否か微妙な範囲であることを示すものである。
つまり、制御部１０１は、式（３）で求めた値を、ジョブスケジューリング画面Ｂの誤差範囲領域（図７、８における斜線）の長さとして決定する。
【００７８】
一方、斤量に応じた標準値を用紙の厚さとして用いる場合とは、設定変更画面Ａ（図５、６参照。）により厚さを指定しない際に実行される処理である。
制御部１０１は、給紙トレイに収納された用紙の厚さが設定されない場合、用紙の斤量から標準値として設定された用紙の厚さを用いて用紙残枚数を算出する。
【００７９】
具体的には、用紙の厚さが設定されない場合、制御部１０１は、標準値テーブル１０４ａを参照し、用紙の斤量に対応した標準値を決定し、上記式（１）〜（３）を用いて用紙残枚数を演算する。
この場合、制御部１０１は、不揮発メモリ１０４に記憶された誤差値を大きくして用紙残枚数の誤差範囲を算出し、用紙の厚さが設定された場合に比較して、用紙残枚数の誤差範囲を広く表示する。
【００８０】
［ジョブスケジューリング画面表示・更新処理］
ジョブスケジューリング画面表示・更新処理は、表示部５０１にジョブスケジューリング画面Ｂを表示させる処理である。ジョブスケジューリング画面Ｂには、用紙残枚数算出処理により算出された用紙残枚数に基づいて、表示形態の決定された予約情報Ｒｎが表示される。
【００８１】
具体的には、制御部１０１は、ユーザにより表示要求の指示がなされると、不揮発メモリ１０４に記憶されたジョブの設定情報に基づいたジョブスケジューリング画面Ｂ（図４参照）を表示部５０１に表示する。
また、制御部１０１は、表示部５０１にジョブスケジューリング画面Ｂが表示された状態で、所定の更新タイミングに至った場合、ジョブスケジューリング画面Ｂに表示されたトレイ情報や予約情報Ｒｎの表示位置を更新する。
所定の更新タイミングとは、例えば、トレイ情報の設定変更をしたとき、所定枚の用紙に対する画像形成処理が終了したとき、前回の更新タイミングから所定時間が経過したとき等である。
例えば、トレイ情報の設定変更をしたときは、第１軸のトレイ情報が変更されたジョブスケジューリング画面Ｂが表示されることとなる。
また、所定枚の用紙に対する画像形成処理が終了したときは、予約情報Ｒ１〜Ｒ７が所定枚分だけ左に移動したジョブスケジューリング画面Ｂが表示されることとなる。
また、前回の更新タイミングから所定時間が経過したときは、その更新タイミングを現時点とした予約情報Ｒｎが表示されたジョブスケジューリング画面Ｂが表示されることとなる。
【００８２】
次に、図９を参照しながら、給紙トレイの用紙残枚数算出処理の流れについて説明する。
なお、この処理は、給紙トレイＦＴ１〜ＦＴ９の各々について同様に実行されるものであるので、給紙トレイＦＴ１についての処理に関して説明する。
【００８３】
まず、ステップＳ１０１において、制御部１０１は、給紙トレイＦＴ１が引き抜き状態、又は検出センサＤにより検出された用紙残量が０％であるか否かを判断する。
そして、ステップＳ１０１において、給紙トレイＦＴ１が引き抜き状態である、又は用紙残量が０％であると判断すると（ステップＳ１０１；ＹＥＳ）、制御部１０１は、続くステップＳ１０２において、用紙残枚数が０枚であると算出し、後述のステップＳ１０６に以降する。
【００８４】
一方、ステップＳ１０１において、給紙トレイＦＴ１が引き抜き状態でない、又は用紙残量が０％でないと判断すると（ステップＳ１０１；ＮＯ）、続くステップＳ１０３において、制御部１０１は、給紙トレイＦＴ１に収納された用紙に対する厚さの設定がなされているか否かを判断し、厚さの設定なさなれていると判断すると（ステップＳ１０３；ＹＥＳ）、続くステップＳ１０４において、設定された厚さの値を用いて用紙残枚数を算出し、後述のステップＳ１０６に以降する。
一方、ステップＳ１０３において、厚さの設定なさなれていないと判断すると（ステップＳ１０３；ＮＯ）、制御部１０１は、続くステップＳ１０５において、斤量に応じた標準値を用いて用紙残枚数を算出し、後述のステップＳ１０６に以降する。
【００８５】
次いで、ステップＳ１０６において、制御部１０１は、ジョブスケジューリング画面Ｂの更新を行い、本処理を終了する。
【００８６】
次に、図１０を参照しながら、ジョブスケジューリング画面Ｂの更新処理の流れについて説明する。
【００８７】
まず、ステップＳ２０１において、制御部１０１は、予め設定された更新タイミングの何れかであるか否かを判断する。ステップＳ２０１において、制御部１０１は、更新タイミングの何れでもないと判断すると（ステップＳ２０１；Ｎｏ）、このステップＳ２０１の処理を繰り返す。
【００８８】
一方、ステップＳ２０１において、制御部１０１は、更新タイミングの何れかであると判断すると（ステップＳ２０１；Ｙｅｓ）、続くステップＳ２０２において、上記した用紙残枚数算出処理により算出される現時点における各給紙トレイの用紙残枚数を不揮発メモリ１０４に記憶する。
【００８９】
次いで、ステップＳ２０３において、制御部１０１は、実行予約順Ｎ（Ｎの初期値＝１）番のジョブが使用する給紙トレイ（例えば、給紙トレイＦＴ１）を、当該ジョブの設定情報に基づいて特定する。すなわち、実行予約順Ｎ番のジョブの第１軸における位置を特定する。
【００９０】
次いで、ステップＳ２０４において、制御部１０１は、実行予約順１番からＮ−１番までのジョブの用紙の使用予定枚数の積算値を算出し、第２軸の原点をゼロ枚として、算出した積算値に対応する第２軸上の位置を実行予約順Ｎ番の予約情報Ｒｎの始点として特定する。すなわち、実行予約順Ｎ番のジョブの第２軸における位置を特定する。
【００９１】
次いで、ステップＳ２０５において、制御部１０１は、不揮発メモリ１０４を参照し、実行予約順Ｎ番のジョブが使用する用紙の使用予定枚数が、給紙トレイＦＴ１に収納された用紙残枚数より少ないか否かを判断する。ステップＳ２０５において、制御部１０１は、使用予定枚数が用紙残枚数より少ないと判断すると（ステップＳ２０５；Ｙｅｓ）、続くステップＳ２０６において、制御部１０１は、ジョブスケジューリング画面Ｂにおいて、上記ステップＳ２０３、２０４で特定した位置から用紙の使用予定枚数に相当する長さ分の第２軸上の位置まで、実行予約順Ｎ番のジョブの予約情報Ｒｎを、全て第１の表示形態（第１領域を示す模様）で表示する。
【００９２】
一方、ステップＳ２０５において、制御部１０１は、使用予定枚数が用紙残枚数より多いと判断すると（ステップＳ２０５；Ｎｏ）、続くステップＳ２０７において、制御部１０１は、ジョブスケジューリング画面Ｂにおいて、上記ステップＳ２０３、２０４で特定した位置から画像形成可能な用紙残量分を第１の表示形態（第１領域を示す模様）で表示し、用紙の不足分を第２の表示形態（第２領域を示す模様）で表示する。
また、制御部１０１は、誤差範囲が算出されている場合には、ジョブスケジューリング画面Ｂに誤差範囲領域を表示する。
【００９３】
次いで、ステップＳ２０８において、制御部１０１は、ジョブスケジューリング画面Ｂ上に未表示のジョブがあるか否かを判断する。ステップＳ２０８において、制御部１０１は、未表示のジョブが有ると判断すると（ステップＳ２０８；Ｙｅｓ）、上記ステップＳ２０３に戻りステップＳ２０３移行の処理を繰り返す。
一方、ステップＳ２０８において、制御部１０１は、未表示のジョブが無いと判断すると（ステップＳ２０８；Ｎｏ）、本処理を終了する。
【００９４】
なお、上記ステップＳ２０１〜Ｓ２０８の処理は、ジョブスケジューリング画面Ｂの更新処理の流れについて説明したものであるが、ジョブスケジューリング画面Ｂの表示要求に基づく表示タイミングである場合にも同様の処理が行われる。
【００９５】
以上のように、本実施形態の画像形成装置１によれば、給紙トレイＦＴ１〜ＦＴ９に収納された用紙の厚さの設定の有無が選択可能に構成され、その設定に基づいて用紙残枚数を算出するため、用紙残枚数算出の精度と、厚さ設定の手間を省くという操作性を両立することができる。
また、用紙の厚さが設定されない場合には、用紙の厚さが設定された場合と比較して用紙残枚数の誤差範囲を広くするため、ジョブスケジューリング画面Ｂにおいて、誤差範囲を広げた表示がなされることとなり、用紙の厚さが標準値から外れた場合であっても適した表示とすることができる。よって、用紙切れの可能性があることをより確実に報知できる。
【００９６】
また、ジョブスケジューリング画面Ｂにおいて、複数のジョブの実行順序と、各ジョブで使用する用紙と、その用紙の収納された給紙トレイとを一目で把握することができる。
また、用紙残枚数がジョブの使用予定枚数に満たない場合に、ジョブスケジューリング画面Ｂにおける当該ジョブの予約情報Ｒｎにおいて、予約情報Ｒｎの表示領域のうち、用紙の不足量に相当する第２軸方向の長さ分の表示領域の表示が、他の表示領域の表示と異ならせて、用紙の不足量が表示されるため、予約されたジョブ毎に、使用する用紙の不足量を把握できることとなる。
【００９７】
また、所定の更新タイミングに、ジョブスケジューリング画面Ｂが更新されるため、所定の更新タイミング毎に、予約された各ジョブの現時点での用紙の使用予定枚数、用紙不足枚数を、トレイ情報毎に把握できることとなる。
具体的には、トレイ情報の設定変更を行う度、所定枚の用紙に対する画像形成処理を行う度、又は所定時間が経過する度に、予約された各ジョブの現時点での用紙の使用予定枚数を、トレイ情報毎に把握できることとなる。
【００９８】
その他、本発明が上記実施形態に限らず適宜変更可能であるのは勿論である。
例えば、厚さを設定する場合には、誤差値の設定を行わないこととしても良い。すなわち、ジョブスケジューリング画面Ｂにおいて、用紙の推定残枚数が残りわずかであることを示す模様（図７、８における斜線）が表示されないこととなる。
また、用紙残枚数が少なくなった場合に、ジョブスケジューリング画面Ｂの更新タイミングを段階的に早くする設定とすることとしても良い。
【図面の簡単な説明】
【００９９】
【図１】本実施形態の画像形成装置の概略構成を示す正面図である。
【図２】画像形成装置の機能的構成を示すブロック図である。
【図３】斤量に応じた厚さの標準値を示す標準値テーブルを例示する図である。
【図４】ジョブスケジューリング画面を例示する図である。
【図５】設定変更画像（厚さ指定あり）を例示する図である。
【図６】設定変更画像（厚さ指定なし）を例示する図である。
【図７】設定変更画像（斤量指定）を例示する図である。
【図８】予約情報の表示形態を説明するための図である。
【図９】給紙トレイの用紙残枚数算出処理の流れを示すフローチャートである。
【図１０】ジョブスケジューリング画面更新処理の流れを示すフローチャートである。
【符号の説明】
【０１００】
１              画像形成装置
１０１          制御部
１０４          不揮発メモリ
５０１          表示部
５０２          タッチパネル
６００          画像形成部
ＦＴ１〜ＦＴ９  給紙トレイ
Ａ              設定変更画面
Ｂ              ジョブスケジューリング画面
【図１】
2010122259.tif 000003
【図２】
2010122259.tif 000004
【図３】
2010122259.tif 000005
【図４】
2010122259.tif 000006
【図５】
2010122259.tif 000007
【図６】
2010122259.tif 000008
【図７】
2010122259.tif 000009
【図８】
2010122259.tif 000010
【図９】
2010122259.tif 000011
【図１０】
2010122259.tif 000012